(57)【要約】      （修正有）【課題】扇部に表れる模様、図柄、あるいはデザイン等を容易に替えることが可能なうちわを提供する。【解決手段】円形状で透明な扇部１２と、該扇部１２の下部に設けられる長板状の柄部１３と、扇部１２に挟持させる紙葉１８とから構成されるうちわ１１であって、扇部１２及び柄部１３は、当該扇部１２を構成する扇板１２ａと柄部１３を構成する柄板１３ａとが連設する合成樹脂製のうちわ形成板を２枚重ね合わせて形成し、扇板１３ａ同士の両側部１５から上部１６に沿った周縁部の内側面同士を接合手段によって接合して、扇板１２同士の間に紙葉１８を挟持するための挟持部１７を形成し、扇板１２ａの下部近傍及び柄板１３ａは、内側面同士にホック１４を備えてホック止め可能に形成され、柄部１３は、柄板１３ａ同士を拡げて挟持部１７に紙葉１８を挟持及び取出し可能な構成にした。【選択図】図６
0003168692.tif 000002
【実用新案登録請求の範囲】
【請求項１】
円形状で透明な扇部と、該扇部の下部に設けられる長板状の柄部と、前記扇部に挟持させる紙葉とから構成されるうちわであって、
前記扇部及び柄部は、当該扇部を構成する扇板と前記柄部を構成する柄板とが連設する合成樹脂製のうちわ形成板を２枚重ね合わせて形成し、
前記扇板同士の両側部から上部に沿った周縁部の内側面同士を接合手段によって接合して、前記扇板同士の間に前記紙葉を挟持するための挟持部を形成し、
前記扇板の下部近傍及び前記柄板は、内側面同士にホックを備えてホック止め可能に形成され、
前記柄部は、前記柄板同士を拡げて前記挟持部に前記紙葉を挟持及び取出し可能な構成にしたこと
を特徴とするうちわ。
【請求項２】
前記接合手段は、溶着又は接着であることを
を特徴とする請求項１に記載のうちわ。
【考案の詳細な説明】
【技術分野】
【０００１】
本考案は、うちわに関するものであり、更に詳しくは、扇部に表れる模様、図柄、あるいはデザイン等を替えることが可能なうちわに関するものである。
【背景技術】
【０００２】
従来、扇部の取り替えが可能なのうちわとしては、次のような構成のものが知られている。このうちわは、メッセージや広告等が描かれたアクリル板で形成される扇部と、この扇部とネジ止めによって取り付ける柄部とからなり、柄部の上部には、扇部に描かれたデザインを照らすためのＬＥＤが設けられている（特許文献１参照）。
【０００３】
このような構成のうちわは、ネジを外して柄部から扇部を取り外し、別のデザインの扇部を柄部にネジ止めして取り付けることができるようになっている。
【先行技術文献】
【特許文献】
【０００４】
【特許文献１】特開２００８−１２６０５２号公報
【考案の概要】
【考案が解決しようとする課題】
【０００５】
この従来例のうちわにおいては、扇部の取り替えに際して、ネジを外したり、再びネジ止めしたりする作業手間が掛かって面倒であり、また、別のデザインの扇部を用意する必要があるので、コストと価格が高くなるという問題点を有している。
【０００６】
従って、従来例におけるうちわにおいては、扇部に表れるデザインを容易に替えられるようにすると共に、コストと価格を抑えることに解決しなければならない課題を有している。
【課題を解決するための手段】
【０００７】
前記従来例の課題を解決するための本考案の要旨は、円形状で透明な扇部と、該扇部の下部に設けられる長板状の柄部と、前記扇部に挟持させる紙葉とから構成されるうちわであって、前記扇部及び柄部は、当該扇部を構成する扇板と前記柄部を構成する柄板とが連設する合成樹脂製のうちわ形成板を２枚重ね合わせて形成し、前記扇板同士の両側部から上部に沿った周縁部の内側面同士を接合手段によって接合して、前記扇板同士の間に前記紙葉を挟持するための挟持部を形成し、前記扇板の下部近傍及び前記柄板は、内側面同士にホックを備えてホック止め可能に形成され、前記柄部は、前記柄板同士を拡げて前記挟持部に前記紙葉を挟持及び取出し可能な構成にしたことである。
【０００８】
また、前記接合手段は、溶着又は接着であること、；
を含むものである。
【考案の効果】
【０００９】
本考案に係るうちわによれば、柄板同士を拡げて挟持部に紙葉を挟持及び取出し可能な構成であることによって、紙葉の出し入れが容易であり、扇部に表れるデザインを簡単に替えることができる。従って、たとえて言うならばうちわを「着せ替えうちわ」のように楽しく使用できる。
また、従来例のうちわと比べて簡易な構造であり、製造コストと価格を抑えることができるという種々な優れた効果を奏する。
【００１０】
また、接合手段は、溶着又は接着であることによって、扇板の両側部から上部に沿った周縁部がシッカリと接合されるという優れた効果を奏する。
【図面の簡単な説明】
【００１１】
【図１】本考案に係るうちわ１１の正面図である。
【図２】図１のＡ−Ａ線断面図である。
【図３】うちわ形成板１１ａを２枚重ね合わせる状態を示す斜視図である。
【図４】扇板１２ａと柄板１３ａとを分離して示す平面図である。
【図５】紙葉１８の平面図である。
【図６】柄板１３ａ、１３ａ同士を拡げて、挟持部１７に紙葉１８を挟持させる状態を示す斜視図である。
【考案を実施するための形態】
【００１２】
次に、本考案の実施の形態について図面を参照しながら説明する。まず、図１及び図２において、符号１１はうちわを示し、このうちわ１１は、円形状で透明な扇部１２と、扇部１２の下部に設けられる長板状の柄部１３と、扇部１２に挟持させる紙葉１８とから構成される。
【００１３】
うちわ１１は、図３に示すように、扇部１２を構成する扇板１２ａと、柄部１３を構成する柄板１３ａとが連設するうちわ形成板１１ａを、２枚重ね合わせて形成される。
【００１４】
うちわ形成板１１ａは、ポリプロピレン等の合成樹脂製の板材で形成される。この板材の厚さは、約０．５〜１ｍｍ程度である。特に、扇板１２ａは、透明な合成樹脂製の板材で形成される。
【００１５】
扇板１２ａは、図４に示すように、円形状で下部に突出片１２ｂを有すると共に、後述するホック１４を挿通させるための切欠部１２ｃが複数箇所に形成されている。
【００１６】
柄板１３ａは、図４に示すように、長板状であり、その上部に扇形の接合部１３ｂを有する。接合部１３ｂ及び柄板１３ａの内側面には、複数のホック１４が設けられている。また、柄板１３ａの下端部は、図２に示すように、段部１３ｃが形成されている。
【００１７】
このような形状の扇板１２ａと柄板１３ａとは、扇板１２ａの外側面に、柄板１３ａの接合部１３ｂの内側面を宛がって、両者を溶着又は接着等の接合手段で接合して、うちわ形成板１１ａを形成する。うちわ形成板１１ａの内側面には、切欠部１２ｃを挿通したホック１４が突出して位置する（図３参照）。
【００１８】
２枚重ね合わせたうちわ形成板１１ａは、扇板１２ａの両側部１５から上部１６に沿った周縁部の内側面同士を、溶着又は接着等の接合手段によって接合する（図１、図３及び図６参照）。扇板１２ａの下半分は接合しない。扇板１２ａ同士の間、即ち扇部１２には、図２に示すように、挟持部１７が形成される。この挟持部１７は、差し入れられた紙葉１８を挟持するための部位である。
【００１９】
図５に示す紙葉１８は、種々な模様、図柄、あるいはデザインのもの等を用意しておくことが望ましい。好みに応じて色々な紙葉１８を挟持部１７に挟持させ、又は取り替えることによって、うちわ１１を所謂「着せ替えうちわ」のように楽しく使用することができる。なお、図５中の符号１８ａは、紙葉１８を挟持部１７に挟持した際に、ホック１４を位置させる凹部である。
【００２０】
また、上述のように、扇板１２ａの下部近傍（接合部１３ｂ）及び柄板１３ａの内側面には、ホック１４が突出している（図３参照）。つまり、２枚重ね合わせたうちわ形成板１１ａ同士の、扇板１２ａの下部近傍及び柄板１３ａは、剥離自在にホック止めが可能である。
なお、２枚重ね合わせるうちわ形成板１１ａの、一方側のホック１４は雄型ホックであり、他方側のホック１４が雌型ホックであることは言うまでもない。
【００２１】
柄部１３は、図６に示すように、ホック１４を剥離して柄板１３ａ、１３ａ同士を拡げることができるので、この状態で、挟持部１７に紙葉１８を差し入れて挟持させ、又は、挟持した紙葉１８を取り出すことができる。
【００２２】
以上のように構成されるうちわ１１は、柄板１３ａ、１３ａ同士を拡げて挟持部１７に紙葉１８を挟持及び取出し可能なので、紙葉１８の出し入れが容易に行える。つまり、扇部１２に表れるデザインを簡単に替えることができるので、たとえて言うならばうちわ１１を「着せ替えうちわ」のように楽しく使用できる。
【符号の説明】
【００２３】
１１  うちわ
１１ａ  うちわ形成板
１２  扇部
１２ａ  扇板
１２ｂ  突出片
１２ｃ  切欠部
１３  柄部
１３ａ  柄板
１３ｂ  接合部
１４  ホック
１５  側部
１６  上部
１７  挟持部
１８  紙葉
１８ａ  凹部
【図１】
0003168692.tif 000003
【図２】
0003168692.tif 000004
【図３】
0003168692.tif 000005
【図４】
0003168692.tif 000006
【図５】
0003168692.tif 000007
【図６】
0003168692.tif 000008